(57)【要約】【課題】ＩＣの誤作動が生じても増幅器の出力波形にスプリアスが発生しないようにしてＣＰＲＩ規格を満足した送信増幅器を提供する。【解決手段】ＣＰＲＩリンクを物理接続ライン１から物理接続ライン２に切り替える命令が発行されると、基地局１１からの命令を受けて前段ＩＣ３はソフト制御しているＣＰＲＩリンクを物理接続ライン１から物理接続ライン２に切り替え、このスイッチオーバを例えば前段ＩＣ３のスイッチオーバ認識機能によって認識し、タイミング信号付与手段によってタイミング信号７を後段ＩＣ５へ送信し、前段ＩＣ３からのタイミング信号７を受けた後段ＩＣ５は、中段ＩＣ４が誤動作する所定の時間だけスプリアス防止レベルデータ出力手段によって、例えば０データを送信データ１０として出力してスプリアスの発生を防止する。【選択図】図１
2008079249.tif 000002
【特許請求の範囲】
【請求項１】
複数の物理接続ラインを有するＣＰＲＩリンクからのデータ入力を受ける少なくとも一つの前段ＩＣと、この前段ＩＣが送信する送信データと同期信号を受信する少なくとも１つの中段ＩＣと、この中段ＩＣが送信する送信データを受信して伝送データを出力する少なくとも１つの後段ＩＣとを有する送信増幅器において、前記物理接続ラインを切り替えるスイッチオーバの発生時に前記後段ＩＣにタイミング信号を与えるタイミング信号付与手段と、前記後段ＩＣが前記タイミング信号付与手段からのタイミング信号を受信したとき所定の時間だけ前記中段ＩＣから受信した送信データではなくスプリアス防止レベルデータを出力するスプリアス防止レベルデータ出力手段を設けたことを特徴とする送信増幅器。
【発明の詳細な説明】
【技術分野】
【０００１】
本発明は、ＣＰＲＩ（Ｃｏｍｍｏｎ  Ｐｕｂｌｉｃ  Ｒａｄｉｏ  Ｉｎｔｅｒｆａｃｅ）リンクで接続した送信増幅器に関する。
【背景技術】
【０００２】
近年、ＣＰＲＩ規格を用いて無線部のリモート化が進んでおり、このＣＰＲＩ規格では基地局と増幅器間の物理的接続方法として、ＳｅｒＤｅｓ（Ｓｅｒｉａｌｉｚｅｒ／Ｄｅｓｅｒｉａｌｉｚｅｒ）を使用することが奨励されている。またＣＰＲＩ規格では、１つの基地局と１つの増幅器間は複数のＣＰＲＩリンクで接続可能であり、増幅器が出力するＩＱデータはその中の１つのＣＰＲｌリンクによって運ばれ、その他のＣＰＲＩリンクとは明確に区別されると規定されている。これは、複数の物理接続ラインの中からソフト制御にて使用するＣＰＲＩリンクを１つ選択可能であることを示している。
【発明の開示】
【発明が解決しようとする課題】
【０００３】
しかしながら、ＳｅｒＤｅｓは製造ばらつきによって処理時間が変化する性質を持っている。一例としてＴＬＫ１５０１（ＴＩ社製）における処理時間は、送信時で３４〜３８ＣＬＫ（＠１．２２８８ＧＨｚ）、受信時で７６〜１０７ＣＬＫ（＠１．２２８８ＧＨｚ）となっている。これはＳｅｒＤｅｓを用いることで、ＣＰＲＩリンクをソフト制御によって別の物理接続ラインに切り替えるスイッチオーバ時にタイムラグが発生することを意味する。増幅器は基地局からのクロックで動作しているため、増幅器内部で使用するクロックが変化することによって増幅器内部で使用しているＩＣ間の同期信号がずれて誤動作を誘発させ、このＩＣの誤動作によって増幅器から出力される波形にスプリアスが発生してしまうという問題があつた。
【０００４】
本発明の目的は、ＩＣの誤作動が生じても増幅器の出力波形にスプリアスが発生しないようにしてＣＰＲＩ規格を満足した送信増幅器を提供することにある。
【課題を解決するための手段】
【０００５】
本発明は上記目的を達成するために、複数の物理接続ラインを有するＣＰＲＩリンクからのデータ入力を受ける少なくとも一つの前段ＩＣと、この前段ＩＣが送信する送信データと同期信号を受信する少なくとも１つの中段ＩＣと、この中段ＩＣが送信する送信データを受信して伝送データを出力する少なくとも１つの後段ＩＣとを有する送信増幅器において、前記物理接続ラインを切り替えるスイッチオーバの発生時に前記後段ＩＣにタイミング信号を与えるタイミング信号付与手段と、前記後段ＩＣが前記タイミング信号付与手段からのタイミング信号を受信したとき所定の時間だけ前記中段ＩＣから受信した送信データではなくスプリアス防止レベルデータを出力するスプリアス防止レベルデータ出力手段を設けたことを特徴とする。
【発明の効果】
【０００６】
本発明による送信増幅器によれば、物理接続ラインが切り替えられたスイッチオーバ発生時に後段ＩＣがタイミング信号付与手段からのタイミング信号を受信すると、スプリアス防止レベルデータ出力手段は、この受信したタイミング信号に基づいて所定の時間だけ中段ＩＣから受信した送信データではなくスプリアス防止レベルデータ、例えば０データを出力することになるため、物理接続ラインの切り替えによって同期信号がずれて中段ＩＣが誤動作したとしても、スプリアス防止レベルデータ出力手段によってスプリアスの発生を防止することができる。これによって、ＣＰＲＩ規格を満足した送信増幅器を得ることができる。
【発明を実施するための最良の形態】
【０００７】
以下、本発明の実施の形態を図面に基づいて説明する。
図１は、本発明の一実施の形態による送信増幅器に使用する増幅器の要部ブロック構成図である。
今、制御部と無線部がＣＰＲＩリンクで接続され、このＣＰＲＩリンクが二つの物理接続ライン１，２を有しているとする。ＩＱデータの伝送ラインである物理接続ラインが切り替わるスイッチオーバの発生を認識するスイッチオーバ認識機能およびこのスイッチオーバの発生と同時にタイミング信号１０を出力するスイッチオーバ発生通知機能とを有する少なくとも一つの前段ＩＣ３と、この前段ＩＣ３が送信する送信データ７と同期信号６を受信する少なくとも１つの中段ＩＣ４と、この中段ＩＣ４が送信する送信データ８と上述した前段ＩＣ３のスイッチオーバ発生通知機能によって物理接続ラインが切り替わったときに送信するタイミング信号１０を受信する少なくとも一つの後段ＩＣ５とを有している。ここでは、上述したスイッチオーバ認識機能およびスイッチオーバ発生通知機能を利用して後段ＩＣ５にタイミング信号１０を与えるタイミング信号付与手段を構成している。この後段ＩＣ５は、中段ＩＣ４から受信した送信データ８を受信したとき、通常時はそれに対応する送信データ９として出力する通常データ出力手段と、前段ＩＣ３からのタイミング信号１０を受信した場合、所定の時間は中段ＩＣ４から受信した送信データ８ではなくスプリアス防止レベルデータ、例えば０データを出力するスプリアス防止レベルデータ出力手段とを有している。
【０００８】
図２は、上述した増幅器を用いて構成した送信増幅器のブロック構成図を示している。
基地局１１と送信増幅器１２間はＣＰＲＩリンクによって接続され、ＳｅｒＤｅｓ１３，１４を介してＩＱデータを前段ＩＣ３に送信している。前段ＩＣ３は、基地局１１から送られたＣＰＲＩフォーマット化されたＩＱデータをデコードし、その送信データ７および同期信号６を中段ＩＣ４に送信している。この中段ＩＣ４は、送信データ７および同期信号６を受信し、受け取った送信データ７を同期信号６に合わせて直交変調およびキャリア合成し、後段ＩＣ５に送信している。この後段ＩＣ５は、中段ＩＣ４から受信した送信データ８をＤｉｇｉｔａｌ  ＰｒｅＤｉｓｔｏｒｔｉｏｎ（ＤＰＤ）方式で歪補償しＤ／Ａ変換器１５を通してアナログ処理部１６へ送信している。
【０００９】
今、不足事態の発生などによって、基地局１１より使用するＣＰＲＩリンクを物理接続ライン１から物理接続ライン２に切り替える命令が発行されたとすると、基地局１１からの命令を受けて前段ＩＣ３はソフト制御しているＣＰＲＩリンクを物理接続ライン１から物理接続ライン２に切り替える。前段ＩＣ３は、このスイッチオーバをスイッチオーバ認識機能によって認識することができるので、タイミング信号付与手段によってタイミング信号１０を後段ＩＣ５へ送信する。このときのスイッチオーバ発生によって、同期信号６がずれて中段ＩＣ４の誤動作を誘発しスプリアス発生原因となるが、前段ＩＣ３からのタイミング信号１０を受けた後段ＩＣ５は、この中段ＩＣ４がスイッチオーバ発生によって誤動作する所定の時間だけ、上述したスプリアス防止レベルデータ出力手段によって０データを送信データ９として出力する。
【００１０】
このスイッチオーバ発生時のタイムチャート波形比較図である図３に示すように、従来構成によるスイッチオーバ発生時には非常に大きな不規則値１７が発生し、ＦＦＴ後の波形比較図である図４に示すように不規則値１７によってスプリアス１８が発生することになる。しかし、図１および図２に示したようにスイッチオーバ発生時にタイミング信号１０を受けた後段ＩＣ５によって所定の時間だけ後段ＩＣ５のスプリアス防止レベルデータ出力機能によって０データを出力するようにすると、図３に示したように非常に大きな不規則値１７は０データ１９に置き換えられ、ＦＦＴ後の波形比較図である図４のスプリアス発生防止波形図２０に示すようにスプリアス１８の発生を防止することができる。
【００１１】
スイッチオーバ発生時にタイミング信号１０を受けた後段ＩＣ５は、スプリアス防止レベルデータ出力手段によって所定の時間だけ０データ１９を出力するが、この所定の時間は実際の送信増幅器における不規則値１７の発生時間、または、各送信増幅器のばらつきを考慮に入れた予測時間によって設定することができる。また、上述した実施の形態で後段ＩＣ５は、タイミング信号１０を受けたときスプリアス防止レベルデータ出力手段によって所定の時間だけ０データ１９を出力するようにしているが、図４に示したスプリアス１８を発生させないようなレベルのデータであれば、０以外の他のデータであっても良い。
【００１２】
このようにＣＰＲＩリンクを使用した場合、その物理接続ラインを切り替える際にスプリアス１８を発生させてしまうが、この物理接続ラインを切り替えるスイッチオーバ発生を、例えばその切り替えをソフト的に制御している前段ＩＣ３のスイッチオーバ認識機能などによって検出し、この検出時にタイミング信号付与手段によって後段ＩＣ５にタイミング信号を与えてスプリアス防止レベルデータを出力するようにしているため、不規則値１７の発生時間に対応して、送信データ９をスプリアスが発生しないレベルのデータ、例えば０データ１９などに置換することができ、ＣＰＲＩリンクにおけるスイッチオーバ時のスプリアス発生を簡単に防止することが可能となり、ＣＰＲＩリンクにおけるスイッチオーバ時にスプリアスが発生しない増幅器を得ることができる。
【産業上の利用可能性】
【００１３】
本発明による送信増幅器は、図示の構成に限らずその他の構成のものに適用することができる。
【図面の簡単な説明】
【００１４】
【図１】本発明の一実施の形態による送信増幅器に使用する増幅器の要部ブロック構成図である。
【図２】図１に示した増幅器を用いて構成した送信増幅器のブロック構成図である。
【図３】スイッチオーバ発生時のタイムチャート比較図である。
【図４】ＦＦＴ後の波形比較図である。
【符号の説明】
【００１５】
１，２    物理接続ライン
３    前段ＩＣ
４    中段ＩＣ
５    後段ＩＣ
６    同期信号
７，８，１０    送信データ
９    タイミング信号
１７    不規則値
１８    スプリアス
１９    ０データ
２０    スプリアス発生防止波形
【図１】
2008079249.tif 000003
【図２】
2008079249.tif 000004
【図３】
2008079249.tif 000005
【図４】
2008079249.tif 000006